(57)【特許請求の範囲】
【請求項１】
電気機器本体に対して運転データを要求する操作器を有するとともに、この操作器との間で赤外線による双方向通信機能を有する電気機器において、
前記操作器に設けられ、前記電気機器本体に対するデータ要求時に、要求対象のデータを複数組に分けた複数のリクエスト信号を順に送信する制御手段と、
前記電気機器本体に設けられ、リクエスト信号により要求された赤外線のデータ信号を発信する発光素子と、前記操作器から送信される赤外線のリクエスト信号を受信する受光素子と、この受光素子の受光感度を調整する受光感度自動調整回路と、前記受光素子がリクエスト信号を受信した後、前記受光感度自動調整回路の動作を停止させ、このリクエスト信号により要求されるデータ信号の送信終了後、前記受光感度自動調整回路の動作を開始させる受光感度自動調整回路制御手段と、
を備えることを特徴とする電気機器。
【請求項２】
空気調和機本体に対して運転データを要求するとともに運転条件を設定する操作器とこの操作器との間で双方向通信機能を有する空気調和機において、
前記操作器に設けられた、前記空気調和機本体に対するデータ要求の操作があったとき、予め定められている要求対象のデータの量が設定値より小さい場合、１個のリクエスト信号を送信し、要求対象のデータの量が設定値より大きい場合、要求対象のデータを複数組に分けて要求するための複数のリクエスト信号を順に送信する制御手段と、前記空気調和機本体から送信されるデータ信号を受信して表示する表示制御手段と、
前記空気調和機本体に設けられた、リクエスト信号により要求される赤外線光のデータ信号を発信する発光素子と、この発光素子に近接して設けられ、前記操作器から送信される赤外線光のリクエスト信号を受信する受光素子と、この受光素子の受光感度を調整する受光感度自動調整回路と、前記受光素子が複数のリクエスト信号の第１のリクエスト信号を受信した後、前記受光感度自動調整回路の動作を停止させ、第１のリクエスト信号により要求されるデータ信号の送信終了後、第２のリクエスト信号の受信前に、前記受光感度自動調整回路の動作を開始させる受光感度自動調整回路制御手段と、前記操作器から送信されるリクエスト信号を受信した場合に、このリクエスト信号により要求されたデータ信号を前記操作器に送信するデータ送信手段と、
を備えることを特徴とする空気調和機。
【発明の詳細な説明】
【技術分野】
【０００１】
本発明は電気機器および空気調和機に係り、特に、操作器との赤外線による双方向通信機能を備えた電気機器および空気調和機に関する。
【背景技術】
【０００２】
電気機器、例えば空気調和機は、室内機および室外機のほかに、運転条件を設定するワイヤレス式の操作器いわゆるリモコンを備え、そのリモコンから発せられる赤外線を室内機で受光することにより、運転条件を設定する。
【０００３】
赤外線による通信は、リモコンから室内機への片方向だけでなく、最近ではリモコンと室内機との間の双方向通信も可能となっている（例えば、特許文献１参照）。
【０００４】
この双方向通信機能を有する空気調和機では、リモコンから室内機への運転条件の設定だけでなく、リモコンが要求するデータを室内機からリモコンへと送信することができる。
【０００５】
リモコンから送信されるリクエスト信号には、先頭データとして、送信先の室内機を指定するための例えば４ビットの機器アドレスコード、室内機から回答されるデータ量（データ長ともいう）を指定するための例えば４ビットのデータ量コードが含まれる。この先頭データの後に、室内温度、室外温度、室内湿度、運転時間などのデータをそれぞれ要求するための複数のコマンドデータが続く。
【０００６】
上記データ量コードによって指定し得るデータ量には、そのビット数に応じた限度がある。このため、室内温度、室外温度、室内湿度、運転時間などのデータに加えて例えば消費電力や電気料金などのデータを含む多量のデータを要求するためには、リモコンが送信するリクエスト信号のコード体系を変更しなければならない。同様に、リクエスト信号を受信する室内機側のコード体系も変更が必要となる。
【０００７】
すなわち、送信及び受信できるデータ量コードのビット数は予め決められているため、送信及び受信できるデータ量コードを増やさなければならない。  
このようなコード体系の変更は、リモコンはもちろん、特に設置済みの室内機にとっても、制御回路の交換やプログラムの変更を要するなど、作業面およびコスト面から非常に面倒な処置となる。  
また、コード体系を変更し、一連のすべてのデータを要求し、一括して受信するようにした場合、１回の送受信信号が長くなるという問題がある。
【０００８】
特に、リモコンからデータを要求するリクエスト信号はそれほど長くはならないが、このリクエスト信号に応じた室内機からの応答データ信号は、細かい温・湿度データや消費電力データなどを含むため元々データ量が多く、返信するデータ個数に比例して長くなる。送受信データは長くなればなるほど誤受信となる確率が飛躍的に増大するため、一連の送受信データ長が長くなるのは、通信の安定したやり取りを行う上で好ましくない。  
そこで、これらの問題を解決するために、室内機とリモコン間の通信方法を改良した空気調和機が考えられている。
【０００９】
この改良された通信方法は、リクエスト信号及び応答データ信号を一度に送信可能なデータ長により複数に分割し、図７に示すように、リモコンはリクエスト信号Ｒ０１送信後、リクエスト信号Ｒ０１により要求される応答データ信号（応答信号）Ａ０１を室内機から受信し終えたことを確認したら、さらに、続きをリクエストするために、リクエスト信号Ｒ０２を室内機に対して送信する。  
その後、室内機が応答信号Ａ０２を返信する。要求するデータが多ければこれを繰り返すという方法である。  
このような改良通信方法により、従来のコード体系のまま情報量を増やすことが可能となる。
【先行技術文献】
【特許文献】
【００１０】
【特許文献１】特開２００１−９９４６５号公報
【発明の概要】
【発明が解決しようとする課題】
【００１１】
しかしながら、上記改良通信方法を、実際に採用すると、双方向通信を行う上で、不都合が発生する。
【００１２】
すなわち、室内制御器は、リモコンからの信号受信のための受光素子とリモコンのリクエストに応答してデータを返信する赤外発光素子（ＬＥＤ）を備える。
【００１３】
そこで、図７に示すようなタイミングで通信を行うと、リモコンにより室内の遠方から送信された赤外線のリクエスト信号Ｒ０１を、室内機側の受光素子が受信した後、室内機側の発光素子がリクエスト信号Ｒ０１により要求される赤外線の応答信号Ａ０１を発信すると、リモコン側の受光素子が応答信号Ａ０１を受信すると同様に、室内機側の受光素子も応答信号Ａ０１を受光することになる。これは、室内制御器は、いつリモコンから信号が送信されてくるか分からないため、受光素子を常に受信状態にしているためにこのような状態が生じる。
【００１４】
室内制御器の受光素子と発光素子の位置関係によるが、基本的にこの受光素子と発光素子は室内機内に設けられるため、室内制御器の受光素子から室内制御器の発光素子との距離は、リモコン側の発光素子からの距離よりも近く、室内制御器の受光素子が受光する光強度は、リモコンから受信した信号よりも、室内機の発光素子が発光した信号の方が強くなる。また、受光素子は、一般に、背景ノイズを除去し、受光した赤外線信号を適切に受信するために受光信号が強いときは感度を低下させ、受光信号が弱いときは受光感度を増大させる受光感度自動調整回路（ＡＧＣ）に接続される。
【００１５】
実際の受信状態では、受光素子に接続される受光感度自動調整回路（ＡＧＣ）は、受光素子の受光感度が、無信号〜リモコンからの受光まで（図７中、ｔ１１〜ｔ１４）は高く、発光素子からの信号受信時（ｔ１４〜ｔ１５）は低く調整される。そして、受光感度の高低の切り替わりは、ノイズによる誤動作防止のため、復帰に時間を要する（ｔ１５〜ｔ１７）。
【００１６】
ｔ１１〜ｔ１３は受光感度が高い状態なので問題ないが、ｔ１６では受光感度が低くなった状態のままであり、遠方からのリモコン信号を受信した場合、まだ受光感度が低い状態にあり受信できない場合が生じ、リクエスト信号Ｒ０１が発信されても（ｔ１６）、ｔ１５〜ｔ１７の間で発信される信号は受光素子で受け付けられず、リクエスト信号Ｒ０２の受信が不完全となって受信に失敗し、ｔ１８からｔ１９の間で室内機側が２回目の応答信号を返せなくなってしまう。
【００１７】
本発明は、上述した事情を考慮してなされたものであり、リモコンからの赤外線のリクエスト信号を複数回に分割して送信し、本体側で応答データ信号を対応する回数に分割して送信しても、受光感度自動調整回路による悪影響を受けることなく、２回目以降の赤外線のリクエスト信号を確実に受信できる電気機器を提供することを目的とする。
【課題を解決するための手段】
【００１８】
本発明は上述した事情を考慮してなされたもので、本発明は、電気機器本体に対して運転データを要求する操作器を有するとともに、この操作器との間で赤外線による双方向通信機能を有する電気機器において、前記操作器に設けられ、前記電気機器本体に対するデータ要求時に、要求対象のデータを複数組に分けた複数のリクエスト信号を順に送信する制御手段と、前記電気機器本体に設けられ、リクエスト信号により要求された赤外線のデータ信号を発信する発光素子と、前記操作器から送信される赤外線のリクエスト信号を受信する受光素子と、この受光素子の受光感度を調整する受光感度自動調整回路と、前記受光素子がリクエスト信号を受信した後、前記受光感度自動調整回路の動作を停止させ、このリクエスト信号により要求されるデータ信号の送信終了後、前記受光感度自動調整回路の動作を開始させる受光感度自動調整回路制御手段と、を備えることを特徴とする。
【００１９】
また、本発明は、空気調和機本体に対して運転データを要求するとともに運転条件を設定する操作器とこの操作器との間で双方向通信機能を有する空気調和機において、前記操作器に設けられた、前記空気調和機本体に対するデータ要求の操作があったとき、予め定められている要求対象のデータの量が設定値より小さい場合、１個のリクエスト信号を送信し、要求対象のデータの量が設定値より大きい場合、要求対象のデータを複数組に分けて要求するための複数のリクエスト信号を順に送信する制御手段と、前記空気調和機本体から送信されるデータ信号を受信して表示する表示制御手段と、前記空気調和機本体に設けられた、リクエスト信号により要求される赤外線光のデータ信号を発信する発光素子と、この発光素子に近接して設けられ、前記操作器から送信される赤外線光のリクエスト信号を受信する受光素子と、この受光素子の受光感度を調整する受光感度自動調整回路と、前記受光素子が複数のリクエスト信号の第１のリクエスト信号を受信した後、前記受光感度自動調整回路の動作を停止させし、第１のリクエスト信号により要求されるデータ信号の送信終了後、第２のリクエスト信号の受信前に、前記受光感度自動調整回路の動作を開始させる受光感度自動調整回路制御手段と、前記操作器から送信されるリクエスト信号を受信した場合に、このリクエスト信号により要求されたデータ信号を前記操作器に送信するデータ送信手段と、を備えることを特徴とする。
【発明の効果】
【００２０】
本発明に係る電気機器によれば、リモコンからのリクエスト信号を複数回に分割して送信し、その応答データ信号を対応する回数に分割して送信しても、受光感度自動調整回路の影響を受けることなく、２回目以降の赤外線のリクエスト信号を確実に受光素子で受信できる電気機器を提供することができる。
【００２１】
また、本発明に係る空気調和機によれば、リモコンからのリクエスト信号を複数回に分割して送信し、室内機からの応答データ信号を対応する回数に分割して送信しても、受光感度自動調整回路の影響を受けることなく、従来のコード体系のまま情報量を増やすことを可能にし、かつ２回目以降の赤外線光のリクエスト信号を確実に受光素子で受信できる空気調和機を提供することができる。
【図面の簡単な説明】
【００２２】
【図１】本発明に係る空気調和機の一実施形態に用いる室内機およびリモコンの外観斜視図。
【図２】本発明に係る空気調和機の一実施形態に用いる室内機の送受信部の平面図。
【図３】本発明に係る空気調和機の一実施形態に用いるリモコンの構成を示す図。
【図４】本発明に係る空気調和機の一実施形態に用いる室内機およびリモコンの制御回路の要部を示すブロック図。
【図５】本発明に係る空気調和機の一実施形態に用いるリモコンの作用を説明するためのフローチャート。
【図６】本発明に係る空気調和機の一実施形態における室内機の作用を説明するためのタイムチャート。
【図７】従来の空気調和機における室内機の作用を説明するためのタイムチャート。
【発明を実施するための形態】
【００２３】
本発明に係る電気機器の一実施形態である空気調和機について、図面を参照して説明する。
【００２４】
図１に示すように、本発明に係る電気機器の一実施形態である空気調和機は、室内機１と室外機（図示せず）からなり、空気調和機の本体である室内機１は、上面２に吸込口３を有するとともに、突出自在な前面パネル４の内側にも吸込口（図示せず）を有し、これら吸込口から取込んだ空気を内部の室内熱交換器に通して下部の吹出口（図示せず）から吹出す。
【００２５】
前面パネル４の内側の吸込口は、前面パネル４が前方に突出することで開放状態となり、前面パネル４が元の位置に復帰することで閉塞状態となる。  
前面パネル４の下部には上記吹出口と対応する位置に上下ルーバ５が設けられており、その上下ルーバ５が図示のように閉じている場合は吹出口が閉塞され、上下ルーバ５が開くことで吹出口が開放される。
【００２６】
また、前面パネル４に透過表示部４ａが設けられている。  
この透過表示部４ａは、光を通す部材で形成され、後述する表示ユニット２１の表示内容、たとえば消費電力量（Ｗ）を室内機１の前方に向け透過表示する。
【００２７】
運転条件を設定するワイヤレス式のリモートコントロール操作器（以下、単にリモコンという）１００は、室内機１との間で赤外線による双方向通信を行う。  
このリモコン１００との送受信を行うための送受信部１０が、室内機１の前面パネル４に設けられている。
【００２８】
図２に示すように、送受信部１０は、前面パネル４と面一状態の光透過部材６で覆われ、その光透過部材６の内側の筐体１１に赤外線発光のＬＥＤからなる発光素子１２およびフォトトランジスタ又はフォトダイオード等の受光素子１３を近接させて並べて設け、その発光素子１２および受光素子１３のそれぞれを筐体１１内の送信回路１４と受信回路１５に接続したもので、発光素子１２からリモコン１００に向けて赤外線の光を発するとともに、リモコン１００から発せられる赤外線の光を受光素子１３で受光する。
【００２９】
送信回路１４、受信回路１５は、それぞれの素子の駆動用電源回路および送受信信号の波形整形などの信号処理回路から構成される。
【００３０】
なお、このような送受信部１０の構成において、発光素子１２と受光素子１３が互いに近接した位置に配設されていることから、発光素子１２から発せられる赤外線の一部が光透過部材６で反射して受光素子１３に入射する配置になっている。
【００３１】
図３に示すように、リモコン１００において、液晶表示部１０１には、設定される運転条件や運転に関わる各種情報を表示する。運転制御モード選択エリア１０２には、各種ボタンが設けられ、室内機制御エリア１０３には、“おしえて”ボタン１０４をはじめ、各種ボタンが設けられている。“おしえて”ボタン１０４は液晶表示部１０１に電気代などの各種の空気調和機に関するデータの表示を要求するためのボタンである。
【００３２】
図４はリモコン１００および室内機１の制御回路の要部である。
【００３３】
図４に示すように、リモコン１００は、赤外線を発する発光素子１３１、赤外線を受光する受光素子１３２、この発光素子１３１および受光素子１３２を駆動する駆動部１３３を有し、この駆動部１３３、液晶表示部１０１、操作部１４１を主制御部であるＭＣＵ（マイクロコントロールユニット）１４０に接続している。  
操作部１４１は、リモコン１００の上記各操作ボタンの集合を示す。
【００３４】
室内機１は、主制御部としてＭＣＵ２０を有し、そのＭＣＵ２０に表示ユニット２１および送信回路１４、受信回路１５が接続されている。送信回路１４、受信回路１５および駆動部１３３には、いずれも受光素子１３、１３２の駆動用電源と発光素子１２、１３１の駆動用電源とが内蔵されている。
【００３５】
さらに、受信回路１５には、図２および図４に示すように、受光素子１３による受光感度を調整する受光感度自動調整回路（以下、単にＡＧＣという）１５ａが内蔵され、受光素子１３とＡＧＣ１５ａは受光ＩＣとして一体に形成され、受信部１６を構成する。
【００３６】
ＡＧＣ１５ａは、ノイズと発光素子１３１からの赤外線の送信信号を区別するために、受光素子１３の受光量を常に監視し、受光対象とする赤外線の受光量が大きければ受光感度（受光素子１３の出力に対する増幅度）を所定の時定数で低減し、受光量が小さければ所定の時定数で受光感度を低減させて背景ノイズに対する赤外線信号の受光感度を適正に保つようになっている。
【００３７】
受光回路１５及びその内部のＡＧＣ１５ａは、トランジスタなどのスイッチ手段１７を介して５Ｖ程度の直流電源（Ｖｃｃ）１８に接続され、なお、図示しないが送信回路１４も電源（Ｖｃｃ）１８に接続される。
【００３８】
なお、ＡＧＣ１５ａは、受光感度の低減および上昇に際し、一時的なノイズによる頻繁な感度変更を防止するため、感度の低減および上昇がそれぞれ所定の時定数で徐々に変化していくように制御する。本実施形態では、このＡＧＣ１５ａの動作をＭＣＵ２０、スイッチ手段１７により制御可能にしている。すなわち、ＭＣＵ２０がスイッチ手段１７をオフすると受信回路１５への電源供給が断たれ、同時にＡＧＣ１５ａへの電源供給が断たれ、動作しなくなる。この状態からＭＣＵ２０がスイッチ手段１７をオンするとＡＧＣ１５ａが動作し、受信感度の調整を開始する。ＡＧＣ１５ａはオンされると初期状態の感度が高い状態となり、受信動作を始める。
【００３９】
そして、リモコン１００のＭＣＵ１４０は、主要な機能として次の（１）〜（５）の手段を有する。
【００４０】
（１）“おしえて”ボタン１０４のオン操作（データ要求操作）に応じて、予め定められている要求対象のデータの量が設定値より大きいか否かを判定する判定手段。  
（２）上記判定手段の判定結果が肯定の場合に、上記要求対象のデータを複数組たとえば２組に分け、この２組のデータをそれぞれ要求するための複数のリクエスト信号Ｒ１、Ｒ２（図６参照）を発光素子１３１から順に送信する制御手段。なお、この制御手段は、複数のリクエスト信号Ｒ１、Ｒ２・・・を送信する場合、各リクエスト信号に対する応答データ信号を受信した後に次のリクエスト信号を送信するようになっている。一方、上記判定手段の判定結果が否定の場合には、制御手段は、の１つのリクエスト信号Ｒ１を発光素子１３１から発するように動作する。  
（３）室内機１から送信されるデータを受光素子１３２で受信して液晶表示部１０１で表示する表示制御手段。  
（４）リクエスト信号Ｒ１（およびＲ２）を発してから一定時間内に受光素子１３２によるデータの受信がないとき、“おしえて”ボタン１０４のオン操作を再度行ってほしい旨の文字情報“もう一度”を液晶表示部１０１で表示する表示制御手段。  
一方、室内機１のＭＣＵ２０は、リモコン１００との双方向通信に関わる主要な機能として次の（５）の手段を有する。  
（５）リモコン１００から送信されるリクエスト信号Ｒ１（およびＲ２）を送受信部１０で受信し、そのリクエスト信号Ｒ１（およびＲ２）により要求されるデータを送受信部１０からリモコン１００に送信させるデータ送信手段。
【００４１】
次に、図５に示す室内制御回路の動作フローチャートを参照しながら室内機１の作用について説明する。
【００４２】
まず、室内機１の受信回路１５はいつでもリモコン１００からの赤外線信号が受信できるようにＯＮ状態にある（Ｓ０）。なお、以下の各ステップの判断は主制御部としてＭＣＵ２０によって処理される。
【００４３】
リモコン１００の“おしえて”ボタン１０４がユーザによりオン操作されると、予め定められている要求対象のデータの量が多い場合には、設定値までの量を持つ第１組のデータとその設定値より後の第２組のデータとに分けられ、先ずは第１組のデータを要求するためのリクエスト信号（赤外線）がリモコン１００から送信される。
【００４４】
ここで、ＭＣＵ２０は、室内機１の受信回路１５が、赤外線信号を受信したか否かを常に判断している（Ｓ１）。したがって、リモコン１００からのリクエスト信号が受信回路１５で受信され（Ｓ１のＹｅｓ）、受信した信号がデータ要求信号か否かが判断される（Ｓ２）。
【００４５】
リクエスト信号である場合（Ｓ２のＹｅｓ）は、図６に示すように、リモコン１００から受信回路１５にリクエスト信号Ｒ１が送信された状態であり、リクエスト信号Ｒ１が送信されている間（ｔ１〜ｔ２）、その赤外線が受光素子１３に入力されるため、それに伴ってＡＧＣ１５ａの感度は高い状態からやや低下した状態に変化し、リクエスト信号Ｒ１の終了時点（ｔ３）で受光素子１３への赤外線の入力がなくなるため、以後徐々に高い状態に復帰し始める。
【００４６】
また、リクエスト信号Ｒ１が送信されている間（ｔ１〜ｔ２）は、受光素子１３は受信可能状態にあり、受信したリクエスト信号Ｒ１を、図２および図４に示すＡＧＣ１５ａ、受信回路１５を介して主制御部であるＭＣＵ２０に送る。
【００４７】
この間スイッチ素子１７はＯＮ状態にあり、リクエスト信号Ｒ１の受信終了（ｔ２）後、短期間だけＯＮ状態を継続し、その後（ｔ３）、ＭＣＵ２０は、スイッチ手段１７をＯＦＦにして、電源（Ｖｃｃ）１８から受信回路１５（ＡＧＣ１５ａを含む）への給電をＯＦＦにする（Ｓ３）。これによって、受信回路１５とＡＧＣ１５ａは非動作状態（オフ）となる。
【００４８】
ＡＧＣ１５ａがオフ状態になった後（ｔ４）、ＭＣＵ２０は送信回路１４を介して、ｔ４〜ｔ５の間、発光素子１２を駆動制御してリモコン１００の受光素子１３２に向けて応答データ信号Ａ１を送信する（Ｓ４）。  
このとき、発光素子１２から発信される赤外線の応答データ信号Ａ１が、同時に近接する受光素子１３に達するが、ＡＧＣ１５ａは既にオフ状態にあり、受光動作は行われず、ＡＧＣ１５ａの受光感度の制御も行われない。
【００４９】
続いてＭＣＵ２０は、リモコン１００の受信回路１５への応答データ信号Ａ１の送信が完了したか否か判断する（Ｓ５）。応答データ信号Ａ１の送信が完了（ｔ５）した場合（Ｓ５のＹｅｓ）、ＭＣＵ２０は、スイッチ素子１７をオンに切換え、ほとんど時間差なくＡＧＣ１５ａを含む受信回路１５をＯＮ（ｔ６）する（Ｓ６）。
【００５０】
ＡＧＣ１５ａがＯＮ（ｔ６）になると、受光素子１３は受光かつ出力可能状態になり、ＡＧＣ１５ａは、通電初期状態である受光コントロール感度が高い状態に復帰する。
【００５１】
この後、ＳＴＡＲＴに戻り、ステップ（Ｓ１）以下の動作を繰り返すことになる。ここで、リモコン１００では、応答データ信号Ａ１が適切に受信できれば、次のリクエスト信号Ｒ２（ｔ７〜ｔ８）を発信する。２回目のリクエスト信号Ｒ２（ｔ７〜ｔ８）は、１回目のリクエスト信号と同様に受信回路１５を経由してＭＣＵ２０に入力され、ステップＳ１でＹＥＳと判定される。
【００５２】
この際、前回のステップＳ４によって、応答データ信号Ａ１が発光素子１２からリモコン１００の受光素子１３２に送信され、同時に、赤外線の応答データ信号Ａ１が発光素子１２に近接する受光素子１３に達するが、ステップＳ３の処理によりＡＧＣ１５ａはオフ状態にあったため、受光感度の低下は行われていない。このため、２回目のリクエスト信号Ｒ２に対するステップＳ１の処理時点では、ＡＧＣ１５ａは受光コントロール感度が高い状態にあるため、発光素子１２から発信する応答データ信号Ａ１に比べて弱いリモコン１００からのリクエスト信号Ｒ２の赤外線の光信号であっても、このリクエスト信号Ｒ２は受信回路１５で確実に受信される。以後、１回目のリクエスト信号Ｒ１と同様に２回目のリクエスト信号Ｒ２に対してステップＳ２〜Ｓ６の処理がＭＣＵ２０で実行される。
【００５３】
本実施形態は、発光素子１２が応答データA１を送信（ｔ4〜ｔ5）後、わずかな時間（ｔ6）でＡＧＣ１５ａの受光コントロール感度を高い状態に復帰させるので、その後のリモコン１００からのリクエスト信号Ｒ２の赤外線信号が弱くても、リクエスト信号Ｒ２は受光素子１３に確実に受信され、誤受信や受信失敗がない。
【００５４】
このように本実施形態では、従来のように最初の応答データ信号を受信することで受光コントロール感度が低くなった状態から、高い状態に復帰させるのに時間がかかり、かつこの復帰途中で次のリクエスト信号を受信して確実に受信できないのとは異なる。
【００５５】
なお、ステップＳ１において、受信回路１５が赤外線信号を受信していない場合（Ｓ１のＮｏ）、ステップＳ１の動作を繰り返す。  
また、ステップＳ２において、赤外線信号がデータ要求信号でない場合（Ｓ２のＮｏ）、送られてくるのは、空気調和機の動作指令であるため受信したデータの処理を行い、その指令に応じた空気調和機の運転／停止、運転モードの設定などを行う。
【００５６】
さらに、ステップＳ５において、応答データＡ１の送信が完了していない場合（Ｓ５のＮｏ）、ステップＳ５に戻り、送信完了までこの動作を繰り返す。
【００５７】
本実施形態の重要なところは、ＭＣＵ２０が、室内機１自らが信号を送信している間は、ＡＧＣ１５ａの電源を遮断し、送信が完了すれば、ＡＧＣ１５ａの動作を復帰させることにある。ここで、ＭＣＵ２０及びスイッチ手段１７は、受信回路１５がリクエスト信号を受信した後、ＡＧＣ１５ａの動作を停止させ、このリクエスト信号により要求されるデータ信号の送信終了後、ＡＧＣ１５ａの動作を開始させる受光感度自動調整回路制御手段として機能している。
【００５８】
以上の本実施形態の電気機器によれば、リモコンからのリクエスト信号を複数回に分割して送信し、室内機からの応答データ信号を対応する回数に分割して送信しても、受光感度自動調整回路の影響を受けることなく、従来のコード体系のまま情報量を増やすことを可能にし、かつ２回目以降の赤外線のリクエスト信号を確実に受光素子で受信できる電気機器が実現される。
【００５９】
なお、図６に示されるようにリクエスト信号の受信終了時点（ｔ２）からＡＧＣ１５ａのＶｃｃ電源遮断時点（ｔ３）まで若干の時間遅れが設けられているが、これは、リクエスト信号の終了を確実に把握するための遅延であるが、固定データ長等のリクエスト信号の終了が事前に分か形態であれば、ｔ２とｔ３を同時としてもよい。逆に、ＡＧＣ１５ａのＶｃｃ電源遮断時点（ｔ３）を遅らせて応答信号Ａ１送信開始と同じ時点ｔ４としても良い。
【００６０】
一方、ＡＧＣ１５ａへの再通電開始時点（ｔ６）は、応答信号Ａ１の送信終了時点（ｔ５）から次のリクエスト信号Ｒ２の受信開始時点（ｔ７）までの間のどこでもよいが、ＡＧＣ１５ａの通電開始から正常な動作開始までにかかる立ち上げ時間が必要な場合が想定されるため、ＡＧＣ１５ａへの再通電開始時点（ｔ６）を、応答信号Ａ１の送信終了時点（ｔ５）とほぼ同じにして、なるべく早めにすることが望ましい。
【００６１】
なお、本実施形態では、最も一般的なＡＧＣ１５ａと受光素子１３が一体化されたＩＣを用いた例で説明したが、それぞれの回路・素子を分離して構成した場合には、スイッチ素子１７を用い、ＡＧＣ１５ａの電源をオン、オフするタイミングで、受光素子１３からＡＧＣ１５ａへの出力路（配線）を遮断・導通するようにしても同様の効果を得ることができる。すなわち、受光素子１３からＡＧＣ１５ａへの出力路が遮断されるとＡＧＣ１５ａは、受光素子１３からの出力がなくなり、受光感度が高い状態に維持される。その後、受光素子１３からＡＧＣ１５ａへの出力路が導通されると、受光感度が高い状態から受光素子１３の受光出力を受け取ることができることになる。この場合には、受光素子１３からＡＧＣ１５ａへの出力路（配線）を遮断・導通する構成が、受光感度自動調整回路制御手段となる。
【符号の説明】
【００６２】
１…室内機、２…上面、３…吸込口、４…前面パネル、４ａ…透過表示部、５…上下ルーバ、６…光透過部材、１０…送受信部、１１…筐体、１２…発光素子、１３…受光素子、１４…送信回路、１５ａ…受光感度自動調整回路、１５…受信回路、１６…受信部、１７…スイッチ手段、１８…電源（Ｖｃｃ）、２０…ＭＣＵ、２１…表示ユニット、１００…リモートコントロール操作器、１０１…液晶表示部、１０２…運転制御モード選択エリア、１０３…室内機制御エリア、１０４…“おしえて”ボタン、１３１…発光素子、１３２…受光素子、１３３…駆動部、１４１…操作部、１４０…ＭＣＵ。
【図１】
0005498184.tif 000002
【図２】
0005498184.tif 000003
【図３】
0005498184.tif 000004
【図４】
0005498184.tif 000005
【図５】
0005498184.tif 000006
【図６】
0005498184.tif 000007
【図７】
0005498184.tif 000008